(57)【要約】【課題】関心物と生検針との位置関係が確認しやすい放射線画像撮影システム、画像処理装置、及び画像処理プログラムを提供する。【解決手段】コンソール１６の制御部３０は、乳房にニードルが挿入された状態でトモシンセシス撮影により得られた投影画像７０を再構成して撮影面２７に平行（ｘ−ｙ軸方向）な断層画像７２を生成し、断層画像７２から関心物の画像８２Ａを特定する。コンソール１６の制御部３０は、特定した関心物の画像８２Ｂ、ニードルの画像８４Ｂを含む、撮影面２７と交差する断面画像７４、本実施の形態では具体例としてｙ−ｘ軸方向の断面画像７４を生成する。さらに、コンソール１６の制御部３０は、投影画像７０からニードルの画像８４Ｃを生成し、生成したニードルの画像８４Ｃを位置を合わせて断面画像７４に合成して表示部３６に表示する。【選択図】図６
2016067414.tif 000002
【特許請求の範囲】
【請求項１】
放射線を検出する放射線検出器及び前記放射線検出器を含む撮影台を備え、前記撮影台の撮影面上に配置されかつ生検針が挿入された状態の乳房に対して異なる投影角度毎に前記放射線を照射して前記放射線検出器により複数の投影画像を撮影する放射線画像撮影装置と、
前記撮影した複数の投影画像に基づいて複数の断層画像を生成する断層画像生成部と、
前記撮影面に対して法線方向から撮影された前記投影画像、前記断層画像生成部が生成した前記断層画像、及び前記断層画像に基づいて再構成された擬似的な二次元画像のいずれかから関心物の画像を特定する特定部と、
前記撮影面と交差する断面であり、前記特定部が特定した前記関心物に応じた画像を含む断面の断面画像を生成する断面画像生成部と、
前記生検針の画像を生成し、生成した前記生検針の画像を、前記断面画像生成部が生成した前記断面画像上に合成する合成部と、
を備えた放射線画像撮影システム。
【請求項２】
前記断面画像生成部は、前記特定部が特定した前記関心物に応じた画像及び前記挿入された生検針に応じた画像を含む断面画像を生成し、
前記合成部は、前記生検針の画像を更に生成し、前記断面画像中の前記生検針の画像上に合成する、
請求項１に記載の放射線画像撮影システム。
【請求項３】
前記断面画像生成部は、前記断層画像生成部が生成した前記複数の断層画像を前記撮影面と交差する方向の断面に再投影して前記断面画像を生成する、
請求項１または請求項２に記載の放射線画像撮影システム。
【請求項４】
前記合成部は、前記複数の投影画像のいずれかから前記生検針の画像を抽出することにより生成し、前記生検針の画像を前記断面画像に合成する、
請求項１から請求項３のいずれか１項に記載の放射線画像撮影システム。
【請求項５】
前記合成部は、前記異なる投影角度のうち最も大きい投影角度で、かつ、前記生検針と離れた側に対応する投影角度に対応する投影画像から前記生検針の画像を抽出する、
請求項４に記載の放射線画像撮影システム。
【請求項６】
前記断面は、前記撮影面に鉛直方向の面である、
請求項１から請求項５のいずれか１項に記載の放射線画像撮影システム。
【請求項７】
前記投影画像、前記断層画像、及び前記擬似的な二次元画像のいずれかから、関心物の画像の指定を受け付ける受付部を備え、
前記特定部は、前記受付部が受け付けた前記関心物の画像の指定に基づいて、前記関心物の画像を特定する、
請求項１から請求項６のいずれか１項に記載の放射線画像撮影システム。
【請求項８】
前記合成部は、合成する前記生検針の画像を強調する強調処理を行う、
請求項１から請求項７のいずれか１項に記載の放射線画像撮影システム。
【請求項９】
前記合成部により前記生検針の画像が合成された前記断面画像を表示する表示部を備えた、
請求項１から請求項８のいずれか１項に記載の放射線画像撮影システム。
【請求項１０】
前記合成部は、前記複数の投影画像を表示部に表示させ、
表示された前記複数の投影画像から前記生検針の画像を生成するために用いられる投影画像の指定を受け付ける指定部を備え、
前記合成部は、前記指定部が受け付けた投影画像から前記生検針の画像を生成する、
請求項１から請求項９のいずれか１項に記載の放射線画像撮影システム。
【請求項１１】
放射線を検出する放射線検出器及び前記放射線検出器を含む撮影台を備え、前記撮影台の撮影面上に配置されかつ生検針が挿入された状態の乳房に対して異なる投影角度毎に前記放射線を照射して該投影角度毎に前記放射線検出器により複数の投影画像を撮影する放射線画像撮影装置と、
前記撮影面に対して法線方向から撮影された前記投影画像から関心物の画像を特定する特定部と、
前記撮影面と交差する断面であり、前記特定部が特定した前記関心物に応じた画像を含む断面の断面画像を生成する断面画像生成部と、
前記生検針の画像を生成し、生成した前記生検針の画像を、前記断面画像生成部が生成した前記断面画像上に合成し、合成した前記断面画像を、表示部に表示させる合成部と、
を備えた放射線画像撮影システム。
【請求項１２】
関心物を採取する生検針が挿入された状態の乳房を異なる投影角度から撮影された投影画像に基づいて再構成した複数の断層画像を生成する断層画像生成部と、
前記投影画像、前記断層画像、及び前記断層画像に基づいて再構成された擬似的な二次元画像のいずれかから前記関心物の画像を特定する特定部と、
前記断層画像と交差する断面であり、前記特定部が特定した前記関心物に応じた画像を含む断面の断面画像を生成する断面画像生成部と、
前記生検針の画像を生成し、生成した前記生検針の画像を、前記断面画像生成部が生成した前記断面画像上に合成し、合成した前記断面画像を、表示部に表示させる合成部と、
を備えた画像処理装置。
【請求項１３】
放射線を検出する放射線検出器及び前記放射線検出器を含む撮影台を備え、前記撮影台の撮影面上に配置されかつ生検針が挿入された状態の乳房に対して異なる投影角度毎に前記放射線を照射して前記放射線検出器により複数の投影画像を撮影する放射線画像撮影装置から前記複数の投影画像を取得し、
前記撮影した複数の投影画像に基づいて複数の断層画像を生成し、
前記撮影面に対して法線方向から撮影された前記投影画像、前記断層画像、及び前記断層画像に基づいて再構成された擬似的な二次元画像のいずれかから関心物の画像を特定する特定し、
前記撮影面と交差する断面であり、特定された前記関心物に応じた画像を含む断面の断面画像を生成し、
前記生検針の画像を生成し、生成した前記生検針の画像を、前記断面画像上に合成する、
処理をコンピュータに実行させるための画像処理プログラム。
【発明の詳細な説明】
【技術分野】
【０００１】
本発明は、放射線画像撮影システム、画像処理装置、及び画像処理プログラムに関する。
【背景技術】
【０００２】
放射線画像を撮影する放射線画像撮影装置として、被検者となる患者の乳房の放射線画像を撮影する、いわゆるマンモグラフィと称されるものが知られている。また、撮影方法として、乳房に対して複数の方向から放射線を照射して放射線画像を撮影し、撮影した放射線画像に基づいて断層画像を生成する、トモシンセシス撮影が知られている。
【０００３】
医療診断を目的として、患者の関心物の一部を生検針により採取する生体検査（生検、バイオプシ）が一般的に行われている。生検を行う場合、関心物の採取を適切に行うために、患者に生検針を挿入した状態で、放射線画像を撮影し、撮影された放射線画像により、関心物と生検針との位置関係を確認することが行われている。
【０００４】
生検を行う場合に、ＣＴ（Computed Tomography）画像や放射線画像により、関心物と生検針との位置関係を確認する技術としては、例えば、特許文献１及び２に記載された技術が知られている。
【先行技術文献】
【特許文献】
【０００５】
【特許文献１】特開２００６−１５８６３４号公報
【特許文献２】特開２０１３−１６９３６０号公報
【発明の概要】
【発明が解決しようとする課題】
【０００６】
しかしながら、従来の技術では、生検針及び関心物の両方の視認性が高い画像を得ることが困難な場合があり、関心物と生検針との位置関係が確認しづらい場合があった。
【０００７】
本発明は、関心物と生検針との位置関係が確認しやすい放射線画像撮影システム、画像処理装置、及び画像処理プログラムを提供することを目的とする。
【課題を解決するための手段】
【０００８】
上記目的を達成するために、本発明の放射線画像撮影システムは、放射線を検出する放射線検出器及び放射線検出器を含む撮影台を備え、撮影台の撮影面上に配置されかつ生検針が挿入された状態の乳房に対して異なる投影角度毎に放射線を照射して放射線検出器により複数の投影画像を撮影する放射線画像撮影装置と、撮影した複数の投影画像に基づいて複数の断層画像を生成する断層画像生成部と、撮影面に対して法線方向から撮影された投影画像、断層画像生成部が生成した断層画像、及び断層画像に基づいて再構成された擬似的な二次元画像のいずれかから関心物の画像を特定する特定部と、撮影面と交差する断面であり、特定部が特定した関心物に応じた画像を含む断面の断面画像を生成する断面画像生成部と、生検針の画像を生成し、生成した生検針の画像を、断面画像生成部が生成した断面画像上に合成する合成部と、を備える。
【０００９】
本発明の放射線画像撮影システムの断面画像生成部は、特定部が特定した関心物に応じた画像及び挿入された生検針に応じた画像を含む断面画像を生成し、合成部は、生検針の画像を更に生成し、断面画像中の生検針の画像上に合成してもよい。
【００１０】
本発明の放射線画像撮影システムの断面画像生成部は、断層画像生成部が生成した複数の断層画像を撮影面と交差する方向の断面に再投影して断面画像を生成してもよい。
【００１１】
本発明の放射線画像撮影システムの合成部は、複数の投影画像のいずれかから生検針の画像を抽出することにより生成し、生検針の画像を断面画像に合成してもよい。
【００１２】
本発明の放射線画像撮影システムの合成部は、異なる投影角度のうち最も大きい投影角度で、かつ、生検針と離れた側に対応する投影角度に対応する投影画像から生検針の画像を抽出してもよい。
【００１３】
本発明の放射線画像撮影システムの断面は、撮影面に鉛直方向の面であってもよい。
【００１４】
本発明の放射線画像撮影システムは、投影画像、断層画像、及び擬似的な二次元画像のいずれかから、関心物の画像の指定を受け付ける受付部を備え、特定部は、受付部が受け付けた関心物の画像の指定に基づいて、関心物の画像を特定してもよい。
【００１５】
本発明の放射線画像撮影システムの合成部は、合成する生検針の画像を強調する強調処理を行ってもよい。
【００１６】
本発明の放射線画像撮影システムは、合成部により生検針の画像が合成された断面画像を表示する表示部を備えてもよい。
【００１７】
本発明の放射線画像撮影システムの合成部は、複数の投影画像を表示部に表示させ、表示された複数の投影画像から生検針の画像を生成するために用いられる投影画像の指定を受け付ける指定部を備え、合成部は、指定部が受け付けた投影画像から生検針の画像を生成してもよい。
【００１８】
また、本発明の放射線画像撮影システムは、放射線を検出する放射線検出器及び放射線検出器を含む撮影台を備え、撮影台の撮影面上に配置されかつ生検針が挿入された状態の乳房に対して異なる投影角度毎に放射線を照射して投影角度毎に放射線検出器により複数の投影画像を撮影する放射線画像撮影装置と、撮影面に対して法線方向から撮影された投影画像から関心物の画像を特定する特定部と、撮影面と交差する断面であり、特定部が特定した関心物に応じた画像を含む断面の断面画像を生成する断面画像生成部と、生検針の画像を生成し、生成した生検針の画像を、断面画像生成部が生成した断面画像上に合成し、合成した断面画像を、表示部に表示させる合成部と、を備える。
【００１９】
また、本発明の画像処理装置は、関心物を採取する生検針が挿入された状態の乳房を異なる投影角度から撮影された投影画像に基づいて再構成した複数の断層画像を生成する断層画像生成部と、投影画像、断層画像、及び断層画像に基づいて再構成された擬似的な二次元画像のいずれかから関心物の画像を特定する特定部と、断層画像と交差する断面であり、特定部が特定した関心物に応じた画像を含む断面の断面画像を生成する断面画像生成部と、生検針の画像を生成し、生成した生検針の画像を、断面画像生成部が生成した断面画像上に合成し、合成した断面画像を、表示部に表示させる合成部と、を備える。
【００２０】
また、本発明の画像処理プログラムは、放射線を検出する放射線検出器及び放射線検出器を含む撮影台を備え、撮影台の撮影面上に配置されかつ生検針が挿入された状態の乳房に対して異なる投影角度毎に放射線を照射して放射線検出器により複数の投影画像を撮影する放射線画像撮影装置から複数の投影画像を取得し、撮影した複数の投影画像に基づいて複数の断層画像を生成し、撮影面に対して法線方向から撮影された投影画像、断層画像、及び断層画像に基づいて再構成された擬似的な二次元画像のいずれかから関心物の画像を特定する特定し、撮影面と交差する断面であり、特定された関心物に応じた画像を含む断面の断面画像を生成し、生検針の画像を生成し、生成した生検針の画像を、断面画像上に合成する、処理をコンピュータに実行させるためのものである。
【発明の効果】
【００２１】
本発明によれば、関心物と生検針との位置関係が確認しやすい、という効果が得られる。
【図面の簡単な説明】
【００２２】
【図１】第１の実施の形態の放射線画像撮影システムの一例の全体構成の概略を示す概略構成図である。
【図２】第１の実施の形態の放射線画像撮影システムにおけるコンソール及び携帯情報端末装置の一例の機能を説明するための概略構成を示す機能ブロック図ある。
【図３】第１の実施の形態の放射線画像撮影装置におけるトモシンセシス撮影を説明するための説明図である。
【図４】第１の実施の形態の放射線画像撮影システムにおける生検の流れの一例を表すフローチャートである。
【図５】ニードルが乳房に挿入された状態におけるトモシンセシス撮影の模式図である。
【図６】第１の実施の形態のコンソールの制御部で実行される位置確認処理の一例のフローチャートである。
【図７】第１の実施の形態の位置確認処理の一例を説明するための説明図である。
【図８】乳房の画像、関心物の画像、及びニードルの画像が写った断層画像の一例の模式図である。
【図９】第２の実施の形態のコンソールの制御部で実行される位置確認処理の一例のフローチャートである。
【発明を実施するための形態】
【００２３】
以下、図面を参照して本発明の実施の形態を詳細に説明する。なお、本実施の形態は本発明を限定するものではない。
【００２４】
まず、本実施の形態の放射線画像撮影システム全体の概略構成について説明する。図１には、本実施の形態の放射線画像撮影システムの全体構成の一例の概略構成図を示す。また、図２には、本実施の形態の放射線画像撮影システムにおけるコンソール１６及び放射線画像読影装置２０の一例の機能を説明するための概略構成を示す機能ブロック図を示す。
【００２５】
本実施の形態の放射線画像撮影システム１０は、コンソール１６を介して外部のシステム（例えば、ＲＩＳ：Radiology Information System）から入力された指示（撮影メニュー）に基づいて、医師や放射線技師等のユーザの操作により放射線画像の撮影を行う機能を有するものである。
【００２６】
本実施の形態の放射線画像撮影システム１０は、放射線画像撮影装置１２、コンソール１６、及び放射線画像読影装置２０を備えている。
【００２７】
本実施の形態の放射線画像撮影システム１０では、放射線画像撮影装置１２でトモシンセシス撮影により撮影された放射線画像に基づいて、断層画像をコンソール１６が生成して表示する場合について説明する。なお、本実施の形態では、放射線画像撮影装置１２の放射線検出器２２でトモシンセシス撮影により得られた放射線画像を「投影画像」という。また、「投影画像」に基づいて再構成された放射線画像を「断層画像」という。さらに、「投影画像」、「断層画像」、及び後述する「断面画像」も含め、放射線を用いて撮影された画像が画像処理された画像を総称する場合は、「放射線画像」という。
【００２８】
本実施の形態の放射線画像撮影装置１２は、被検者の乳房の放射線画像を撮影する装置であり、例えば、マンモグラフィと称される。なお、放射線画像撮影装置１２は、被検者がイス（車イスを含む）等に座った座位状態において、その被検者の乳房を撮影する装置であってもよく、少なくとも被検者の上半身が立位した状態でその被検者の乳房が左右別個に撮影可能な装置であればよい。
【００２９】
放射線画像撮影装置１２は、撮影台２６の撮影面２７に対向して、管球等の放射線源２４が設けられ、放射線源２４から撮影面２７に向けて放射線を照射する。
【００３０】
被検者の乳房の放射線画像の撮影を行う場合は、被写体である一方の乳房を圧迫板２５により、撮影台２６の撮影面２７との間で圧迫することにより固定し、固定した乳房に対して放射線源２４から放射線を照射する。なお、圧迫板２５は、撮影面２７との間で乳房を圧迫するためのものであり、放射線を透過する部材が用いられる。
【００３１】
本実施の形態の放射線画像撮影装置１２は、放射線源２４が移動して、少なくとも、被写体としての乳房に対して、複数の投影角度（方向）から撮影を行う、いわゆるトモシンセシス撮影を行うことができる装置である。図３には、本実施の形態の放射線画像撮影装置１２におけるトモシンセシス撮影について説明を行うための説明図を示す。放射線画像撮影装置１２では、図３に示すように、乳房に対して複数の投影角度から撮影（トモシンセシス撮影）を行う場合、放射線源２４が円弧状にＸ軸方向に沿って放射線源２４が移動する。なお、本実施の形態では、図３に示すように角度αから所定角度θずつ撮影位置を移動させて、放射線源２４の位置がＰ１〜ＰＮのＮ箇所で撮影が行われる。また、本実施の形態の放射線画像撮影装置１２では、被写体が乳房を当接する撮影台２６の側から、装置の奥側に向かう方向を「ｙ軸方向」、撮影面２７に平行でｙ軸方向と交差する方向を「ｘ軸方向」、及び撮影面２７に対する法線方向を「ｚ軸方向」という。
【００３２】
撮影台２６の内部には、被写体である乳房及び撮影面２７を通過した放射線が照射され、その放射線を検出する放射線検出器２２が配置されている。放射線検出器２２が検出した放射線が可視化されて放射線画像が生成される。放射線検出器２２は画像データを担持する放射線の照射を受けて放射線画像を表す画像データを記録し、記録した画像データを出力するものであり、照射された放射線の線量に応じて発生した画素毎の電荷を画像データとして検出する。本実施の形態の放射線検出器２２は、ＦＰＤ（Flat Panel Detector）であり、例えば、照射された放射線により電子を直接発生するＳｅ層を用いた直接変換型パネルである。なお、放射線検出器２２としては、直接変換型パネルに限らず、間接変換型パネルや、更には、電子カセッテを用いても良い。
【００３３】
また、本実施の形態の放射線画像撮影装置１２は、被写体（乳房）内の腫瘤や石灰化等の関心物を生検針により採取することができる装置である。以下、生検針の一例としてニードルを用いて関心物を採取する場合について説明する。また、本実施の形態では、医師等、撮影された放射線画像により腫瘤等の関心物の観察や診断等を行う者を「ユーザ」といい、腫瘤や石灰化等、ユーザの観察対象を「関心物」という。また、関心物を採取することを「生検」という。本実施の形態では、生検を行う場合、被写体にニードルを挿入した状態で、トモシンセシス撮影を行い、得られた放射線画像から、関心物と、ニードルとの位置関係の確認（関心物を採取するのに適切な位置にニードルが有るか）をユーザが行う。
【００３４】
本実施の形態では、放射線画像撮影装置１２の放射線検出器２２から出力された放射線画像を表す画像データは、コンソール１６に送信される。本実施の形態のコンソール１６は、無線通信ＬＡＮ（Local Area Network）等を介して外部システム等から取得した撮影メニューや各種情報等を用いて、放射線画像撮影装置１２の制御を行う機能を有している。また、本実施の形態のコンソール１６は、放射線画像撮影装置１２の放射線検出器２２との間で各種情報の送受信を行う機能を有している。また、本実施の形態のコンソール１６は、放射線検出器２２から取得した放射線画像に基づいて、断層画像を生成して表示する機能を有している。さらに、本実施の形態のコンソール１６は、放射線検出器２２から取得した放射線画像や生成した断層画像を放射線画像読影装置２０に送信する機能を有している。
【００３５】
本実施の形態のコンソール１６は、画像処理装置の一例であり、サーバー・コンピュータである。図２に示すように、コンソール１６は、制御部３０、記憶部３２、表示部駆動部３４、表示部３６、操作入力検出部３８、操作部４０、Ｉ／Ｏ（Input Output）部４２、及びＩ／Ｆ（Interface)部４４を備えている。制御部３０、記憶部３２、表示部駆動部３４、操作入力検出部３８、及びＩ／Ｏ部４２は、システムバスやコントロールバス等のバス４５を介して相互に情報等の授受が可能に接続されている。
【００３６】
本実施の形態の制御部３０は、断層画像生成部、特定部、断面画像生成部、及び合成部の一例である。制御部３０は、コンソール１６全体の動作を制御する機能を有している。また、制御部３０は、トモシンセシス撮影により得られた投影画像に基づいた断層画像の生成や、断面画像の生成等を行う機能を有している。本実施の形態の制御部３０は、ＣＰＵ（Central Processing Unit）、ＲＯＭ（Read Only Memory）、ＲＡＭ（Random Access Memory）、及びＨＤＤ（Hard disk drive）を備えている。ＣＰＵは、コンソール１６全体の動作を制御する機能を有している。ＲＯＭには、ＣＰＵで使用される各種プログラム等が予め記憶されている。ＲＡＭは、各種データを一時的に記憶する機能を有している。ＨＤＤは、各種データを記憶して保持する機能を有している。なお、ＨＤＤは、ＳＳＤ（Solid State Drive）であってもよく、また、記憶部２４と兼用してもよい。
【００３７】
表示部駆動部３４は、表示部３６への各種情報の表示を制御する機能を有している。本実施の形態の表示部３６は、撮影メニュー、画像データや放射線画像等を表示する機能を有している。操作入力検出部３８は、操作部４０に対する操作状態や処理操作を検出する機能を有している。操作部４０は、放射線画像の撮影や断層画像の生成等に関する指示を、ユーザが行うために用いられる。操作部４０は、一例としてキーボードやマウスの形態を有するものであってもよいし、表示部３６と一体化されたタッチパネルの形態を有するものであってもよい。また、操作部４０が、カメラを含み、このカメラにユーザのジェスチャーを認識させることにより各種指示を入力する形態を有するものであってもよい。
【００３８】
また、Ｉ／Ｏ部４２及びＩ／Ｆ部４４は、無線通信や有線通信により放射線画像撮影装置１２（放射線源２４や放射線検出器２２等）、放射線画像読影装置２０、ＲＩＳ等の外部システム、及びＰＡＣＳ等の外部システム（Picture Archiving and Communication System）との間で各種情報の送受信を行う機能を有している。
【００３９】
記憶部３２は、放射線検出器２２から受信した画像データや放射線画像等を含む各種データを記憶する機能を有している。
【００４０】
一方、放射線画像読影装置２０は、画像データや放射線画像等をコンソール１６から受信し、受信した画像データや放射線画像等を表示する機能を有している。放射線画像読影装置２０の具体例としては、ヴューワ等が挙げられるが、特に限定されず、タブレット端末やスマートフォン等に代表される、いわゆるＰＤＡで（Personal Digital Assistance）である携帯情報端末装置であってもよい。
【００４１】
図２に示すように、本実施の形態の放射線画像読影装置２０は、制御部５０、記憶部５２、表示部駆動部５４、表示部５６、操作入力検出部５８、操作部６０、Ｉ／Ｏ部６２、及びＩ／Ｆ部６４を備えている。制御部５０、記憶部５２、表示部駆動部５４、操作入力検出部５８、及びＩ／Ｏ部６２は、システムバスやコントロールバス等のバス６５を介して相互に情報等の授受が可能に接続されている。
【００４２】
制御部５０は、放射線画像読影装置２０全体の動作を制御する機能を有している。制御部５０は、ＣＰＵ、ＲＯＭ、及びＲＡＭを備えている。ＣＰＵは、放射線画像読影装置２０全体の動作を制御する機能を有している。ＲＯＭには、ＣＰＵで使用される各種の処理プログラム等が予め記憶されている。ＲＡＭは、各種データを一時的に記憶する機能を有している。
【００４３】
表示部駆動部５４は、表示部５６への画像データや放射線画像等を含む各種情報の表示を制御する機能を有している。操作入力検出部５８は、操作部６０に対する操作状態や処理操作を検出する機能を有している。本実施の形態では、操作部６０は、表示部５６に表示された放射線画像に対する指示を、ユーザが行うために用いられる。本実施の形態では操作部６０は、例えば、タッチパネル、タッチペン、複数のキー、及びマウス等を含んでいる。なお、操作部６０をタッチパネルとする場合は、表示部５６と同一としてもよい。
【００４４】
Ｉ／Ｏ部６２及びＩ／Ｆ部６４は、電波による無線通信や光による光通信等により、コンソール１６やＰＡＣＳとの間で各種情報の通信を行う機能を有している。
【００４５】
記憶部５２は、コンソール１６から受信した放射線画像を記憶する機能を有する。記憶部５２の具体例としては、不揮発性のメモリ等が挙げられる。
【００４６】
なお、本実施の形態では、コンソール１６の制御部３０及び放射線画像読影装置２０の制御部５０に格納される各種プログラムは、予め制御部３０及び制御部５０のＲＯＭに格納されているがこれに限らず、プログラムをＣＤ−ＲＯＭ（Compact Disk Read Only Memory）やリムーバブルディスク等の記録媒体等に記憶しておき記録媒体からＲＯＭ等にインストールするようにしてもよい。また、インターネット等の通信回線を介して外部装置からＲＯＭ等にインストールするようにしてもよい。
【００４７】
次に、本実施の形態の放射線画像撮影システム１０の作用について図面を参照して説明する。
【００４８】
図４には、本実施の形態の放射線画像撮影システム１０における生検の流れの一例を表すフローチャートを示す。
【００４９】
放射線画像撮影システム１０では、放射線画像の撮影を行なう場合、撮影メニューに従って撮影が実行される。コンソール１６の制御部３０は、撮影メニューに「生検」を指示する情報が含まれている場合、生検を行うと判断して、図４に示したフローチャートに従い、生検を実行する。
【００５０】
ステップＳ１００では、コンソール１６の制御部３０が放射線画像撮影装置１２に指示して、被検者の乳房を圧迫板２５により圧迫する。被検者は、放射線画像撮影装置１２の撮影面２７に被写体となる一方の乳房を当接させる。コンソール１６の制御部３０は、放射線画像撮影装置１２に圧迫板２５を撮影面２７に向けて移動させるための指示を行う。放射線画像撮影装置１２では、圧迫板２５により乳房が固定される。
【００５１】
次のステップＳ１０２では、ポジショニングの確認を行うために、放射線源２４を回転（移動）させることなく、放射線の光軸が撮影面２７に対して法線方向となるように、すなわち、０°の角度で放射線の照射を行うスカウト画像の撮影を行わせるための指示をコンソール１６の制御部３０が、放射線画像撮影装置１２に行う。ユーザは、放射線画像撮影装置１２により撮影されたスカウト画像により、ポジショニングが適切であるか確認を行う。
【００５２】
次のステップＳ１０４では、コンソール１６の制御部３０が、ポジショニングが適切（Ｏ．Ｋ．）か判断する。ユーザは、スカウト画像によりポジショニングが不適切であると判断した場合は、その旨を操作部４０により指示する。不適切であると指示された場合は、ステップＳ１０６へ進む。ステップＳ１０６では、コンソール１６の制御部３０が、圧迫板２５による乳房の圧迫を解除した後、ステップＳ１００に戻る。圧迫が解除されると、ユーザは乳房をポジショニングし直す。なお、乳房の圧迫の解除に応じて、再ポジショニングを促す処理（例えば、再ポジショニングを促すメッセージを表示部３６に表示する）等してもよい。
【００５３】
なお、ポジショニングの確認を行わない場合は、ステップＳ１０２〜ステップＳ１０６の処理を省略してもよい。
【００５４】
一方、ポジショニングが適切である場合は、ステップＳ１０４からステップＳ１０８へ進む。ステップＳ１０８では、ニードルが挿入されたか否かを判断する。乳房内の関心物を採取するためのニードルの挿入は、ユーザである医師により行われる。ニードルは通常、撮影面２７に対して斜めに、複数の断層画像と交差する角度及び方向に挿入される。
【００５５】
なお、放射線画像撮影装置１２にバイオプシユニット（図示省略）が備えられている場合、ユーザは、ニードルを挿入するにあたり、バイオプシユニットを利用してもよい。ユーザは、ニードルを関心物の採取位置（より具体的には、採取予定位置）まで挿入すると、挿入が完了した旨の完了指示を、例えば、操作部４０により行う。コンソール１６の制御部３０は、完了指示が有るまで待機状態となり、完了指示が有ると、ステップＳ１１０へ進む。
【００５６】
ニードルの挿入が完了すると、ステップＳ１１０では、コンソール１６の制御部３０は、放射線画像撮影装置１２に、トモシンセシス撮影を行うよう指示する。本実施の形態の放射線画像撮影装置１２は、乳房に対して複数の方向から撮影を行うトモシンセシス撮影を行う撮影指示が入力された場合、撮影台２６は移動せず、放射線源２４を円弧状に、ｘ軸方向に沿って移動させて、図３に示すように、角度αから所定角度θずつ撮影位置を移動させて、放射線源２４の位置がＰ１〜ＰＮのＮ箇所で各々撮影条件に基づいた放射線の照射を行う。放射線源２４から個別に照射された放射線は、それぞれ乳房を透過した後に放射線検出器２２に到達する。図５には、ニードルが乳房に挿入された状態におけるトモシンセシス撮影の模式図を示す。なお、図５に示すように、ニードルは、一般的には、撮影面２７に対して斜めに、詳細を後述する複数の断層画像と交差する方向に挿入される。
【００５７】
放射線検出器２２は、放射線が照射されると、照射された放射線画像（投影画像）を表す画像データをそれぞれコンソール１６へ出力する。上記のように、放射線源２４の位置がＰ１〜ＰＮのＮ箇所で放射線の照射が行われた場合には、Ｎ枚の投影画像の画像データをコンソール１６へ出力する。
【００５８】
次のステップＳ１１２で、コンソール１６の制御部３０は、関心物とニードルとの位置関係を確認するための位置確認処理を行う。図６には、本実施の形態のコンソール１６の制御部３０で実行される位置確認処理の一例のフローチャートを示す。また、図７には、位置確認処理の一例を説明するための説明図を示す。
【００５９】
ステップＳ２００では、コンソール１６の制御部３０がＮ枚の投影画像（図７、投影画像７０）を取得したか否か判断する。コンソール１６の制御部３０では、撮影メニュー等から、トモシンセシス撮影により撮影される投影画像７０の数を認識することができる。本ステップでは、制御部３０は、トモシンセシス撮影により撮影される全ての投影画像７０を、放射線検出器２２から取得したか否かを判断する。取得していない場合は、待機状態となり、取得した場合は、ステップＳ２０２へ進む。
【００６０】
ステップＳ２０２では、コンソール１６の制御部３０が、取得した複数の投影画像７０に基づいて断層画像（図７、断層画像７２）を再構成して、所定のスライス厚で、撮影面２７に平行な断層画像７２を生成する。なお、本実施の形態では、「平行」とは、略平行も含むものとする。図７は、具体例として、制御部３０がＭ枚の断層画像７２を生成した場合を示している。
【００６１】
放射線源２４が各位置から放射線を照射する投影角度によって、関心物が投影画像７０上に投影される位置が異なる。そこで、制御部３０では、投影画像７０を撮影した投影角度に基づいて、複数の投影画像７０間における関心物の移動量を算出して、公知の再構成方法に基づいて断層画像７２の再構成を行う。なお、投影角度は、撮影メニューから取得してもよいし、放射線画像撮影装置１２（放射線検出器２２）から各投影画像７０に対応付けて取得するようにしてもよい。
【００６２】
制御部３０は、生成した断層画像７２を表示部３６に表示させる。表示の仕方は特に限定されず、スライス位置に応じて、順次、断層画像７２を表示するようにしてもよいし、複数の断層画像７２を同時に表示部３６に表示してもよい。Ｍ枚の断層画像７２の少なくとも一部には、図７に示す断層画像７２のように、乳房の画像８０Ａ、関心物の画像８２Ａ、及びニードルの画像８４Ａが写っている。
【００６３】
なお、本実施の形態におけるニードルの画像８４Ａが写っているということが、生検針に応じた画像を含むことの一例に対応する。
【００６４】
図８には、乳房の画像８０Ａ、関心物の画像８２Ａ、及びニードルの画像８４Ａが写った断層画像７２の一例の模式図を示す。断層画像７２は、上述のように、複数枚の投影画像７０に基づいて再構成された放射線画像であるため、１枚の投影画像７０に比べて多くの情報量（電荷量）を含んでいる。情報量が多いため、断層画像７２では、１枚の投影画像７０に比べ、関心物の画像８２Ａが見えやすくなる。一方、ニードルの画像８４Ａは、ニードルが断層画像７２と交差する方向に挿入されていることから、断層面（断層画像７２の高さ）に相当するニードル画像８４Ａの部分は、焦点が合うため、明確に、具体的には白色の画像として、表示される。しかしながら、断層面（断層画像７２の高さ）と異なる部分に対応するニードルの画像が、アーチファクト８９として生じてしまう場合があり、ニードルの画像全体の視認性が低下する場合がある。このように、断層画像７２では、ニードルの画像８４Ａの視認性が低下して、関心物の画像８２Ａがはっきりと視認できていても、両者の位置関係、特にニードルにおける関心物を採取するための開口部の位置を確認することが困難になる場合がある。そこで、本実施の形態の放射線画像撮影システム１０（コンソール１６）では、関心物とニードルとの位置関係を確認しやすい放射線画像を生成する。
【００６５】
次のステップＳ２０４では、コンソール１６の制御部３０が断層画像７２から関心物の画像８２Ａを特定する。関心物の画像８２Ａの特定方法は特に限定されない、例えば、画像解析を行い、断層画像７２から関心物の画像８２Ａを特定してもよい。また、例えば、表示部３６に表示された断層画像７２中の関心物の画像８２Ａを操作部４０により指定したユーザの指定を受け付け、受け付けた指定（指定された位置等）に基づいて、関心物の画像８２Ａを特定してもよい。なお、この場合は、Ｉ／Ｆ部４４が、受付部の一例として機能する。
【００６６】
なお、本実施の形態では、断層画像７２から関心物の画像８２Ａを特定しているが、投影画像７０から関心物の画像を特定するようにしてもよい。この場合の特定方法も、断層画像７２と同様に、投影画像７０から関心物の画像を特定すればよい。なお、投影画像７０から関心物の画像を特定する場合は、法線方向から放射線を照射して撮影した、すなわち、投影角度が０°の投影画像７０を用いることが好ましい。
【００６７】
また、特定方法としては、断層画像７２を合成（再々構成）して、投影画像７０に相当する擬似的な二次元画像を生成し、生成した擬似的な二次元画像から、断層画像７２と同様に関心物の画像を特定してもよい。なお、この場合、上記投影画像７０をから関心物の画像を徳適する場合と同様に、法線方向から放射線を照射して撮影した、すなわち、投影角度が０°の投影画像７０に相当する二次元画像を用いることが好ましい。なお、擬似的な二次元画像の生成方法は、限定されず、例えば、詳細を後述する断面画像７４の生成と同様の技術を用いれば良い。
【００６８】
次のステップＳ２０６では、コンソール１６の制御部３０が、関心物の画像８２Ｂ及びニードルの画像８４Ｂを含む断面画像７４を生成する。なお、本実施の形態において「断面」とは、撮影面２７と交差する方向の面をいう。撮影面２７と交差する方向の面の具体例としては、撮影面２７に対して鉛直方向の面が挙げられる。本ステップにおいて制御部３０が生成する断面画像７４は、放射線源２４がｘ軸方向に沿って移動するため、放射線源２４の移動に伴うアーチファクトの影響を考慮し、ｙ−ｚ軸方向の断面画像７４を生成する。なお、関心物の位置（関心物の画像８２Ｂ）や、ニードルの挿入方向や位置（ニードルの画像８４Ｂ）に応じて、他の断面画像７４、例えば、ｘ−ｚ軸方向の断面画像７４や斜め方向の断面画像７４を生成してもよい。
【００６９】
制御部３０により生成される断面画像７４中の関心物の画像８２Ｂは、関心物は同じであっても、見る方向（面）が異なるため、ステップＳ２０４で特定した関心物の画像８２Ａと同じ画像ではない。そのため、制御部３０はまず、特定した関心物の画像８２Ｂから関心物を決定し、決定した関心物が含まれる画像を画像解析等により検出する。
【００７０】
なお、断面画像７４の生成方法は特に限定されない。断面画像７４は、断層画像から再々構成される擬似的な二次元画像の放射線画像であり、断層画像７２から断面画像７４（擬似的な二次元画像）を再々構成して生成する方法としては、例えば、ＵＳ公開２０１０−０１３５５５８号公報に記載されている技術を用いればよい。
【００７１】
なお、断面画像７４も、断層画像７２と同様に、複数の投影画像７０の情報を含んでいるため、関心物の画像８２Ｂが見やすい一方で、ニードルの画像８４Ｂの視認性が低下している場合がある。
【００７２】
次のステップＳ２０８では、コンソール１６の制御部３０が投影画像７０を再投影してニードルの画像８４Ｃを生成する。なお、ニードルの画像８４Ｃを生成する投影画像７０は、最もニードルの画像が視認しやすい画像であることが好ましいことはいうまでもない。本実施の形態では、上述したように、放射線源２４が、ｘ軸方向に沿って移動するため、もっとも大きい投影角度であり、かつ、ニードルと離れた側に対応する投影角度から撮影した投影画像７０が好ましい。図５に模式的に示した撮影の場合、ニードルが、撮影位置Ｐ１側に位置し、Ｐ１側からＰＮ側に斜めに挿入されている。そこで、ニードルに近い側に対応する最も大きい投影角度（撮影位置）Ｐ１から撮影した投影画像７０よりも、ニードルと離れた側に対応する最も大きい投影角度（撮影位置）ＰＮから撮影した投影画像７０からニードルの画像８４Ｃを生成することが好ましい。そのため、予めＰＮから撮影した投影画像７０がニードルの画像８４Ｃを生成するための投影画像７０として予め定められている。
【００７３】
なお、本実施の形態では、ｘ軸方向に沿って放射線源２４が移動するため、図５に模式的に示した撮影では、撮影位置（投影角度）ＰＮから撮影した投影画像７０が好ましいが、放射線源２４の移動方向が異なれば、投影画像７０の投影角度も異なることはいうまでもない。ニードルの画像８４Ｃを生成するための投影画像７０は、上述のように放射線源２４の移動方向を考慮して決定することが好ましい。
【００７４】
投影画像７０中のニードルの画像は、上述した理由により、断層画像７２や断面画像７４中のニードル画像８４Ａ、８４Ｂに比べて、視認性が高い場合が多い。そのため、投影画像７０から生成されたニードルの画像８４Ｃは、断層画像７２や断面画像７４中のニードル画像８４Ａ、８４Ｂに比べて、視認性が高い場合が多い。
【００７５】
次のステップＳ２１０では、コンソール１６の制御部３０が、生成したニードルの画像８４Ｃを、ステップＳ２０６で生成した断面画像７４に合成する。合成方法は特に限定されないが、本実施の形態では、制御部３０は、断面画像７４上に生成したニードルの画像８４Ｃをオーバレイすることにより合成する。なお、ニードルの画像８４Ｃを合成する場合は、断面画像７４中におけるニードルの画像８４Ｃの位置を特定し、特定した位置に合成することが好ましい。
【００７６】
なお、本実施の形態の制御部３０では、ニードルの画像８４Ｃを合成する場合に、ニードルの画像８４Ｃを強調する強調処理を行っている。強調処理としては、特に限定されないが、例えば、ニードルの画像８４Ｃの色を目立つ色に変更したり、関心物を採取する開口部付近の色を強調したりする処理等が挙げられる。
【００７７】
このように、視認性が高い関心物の画像８２Ｂを含む断面画像７４に、投影画像７０から生成した視認性が高いニードルの画像８４Ｃを合成することにより、関心物とニードルとの位置関係が確認しやすくなる。
【００７８】
次のステップＳ２１２では、コンソール１６の制御部３０が、ニードルの画像８４Ｃを合成した断面画像７４を、表示部３６に表示した後、ステップＳ１１２である、位置確認処理を終了する。
【００７９】
ステップＳ１１２の位置確認処理が終了すると、ステップＳ１１４へ進む。ステップＳ１１４では、ニードルの挿入をやり直すのか否かを判断する。ユーザは、上記ステップＳ２１２の処理により、表示部３６に表示された、ニードルの画像８４を合成した、断面画像により関心物とニードルとの位置関係が確認し、位置関係が適切ではない、すなわち、関心物が適切に採取でき内可能性があると判断した場合は、乳房へのニードルの挿入をやり直す。本実施の形態では、ニードルの挿入をやり直す場合は、ユーザがその旨を操作部４０により、指示する。制御部３０は、やり直しの指示を受け付けた場合は、ステップＳ１０８に戻り、本処理を繰り返す。一方、やり直しを行わない場合は、ステップＳ１１６へ進む。
【００８０】
ステップＳ１１６では、ニードルにより、関心物の組織を吸引切除した後、本処理を終了する。
【００８１】
［第２の実施の形態］
第１の実施の形態では、制御部３０が、予め定められた投影画像７０を再投影してニードルの画像８４Ｃを合成した場合を説明した。本実施の形態では、ユーザが指定した投影画像７０からニードルの画像８４Ｃを生成する場合について説明する。
【００８２】
第１の実施の形態では、ニードルの画像が視認しやすいと想定される所定の投影角度から撮影された投影画像７０からニードルの画像を生成するようにしていたが、所定の投影角度以外の投影画像７０の方が、ニードルの画像を視認しやすかったり、関心物の位置関係を把握しやすかったりする場合がある。本実施の形態の放射線画像撮影システム１０では、そのような場合に、ニードルの画像（ニードルの画像を抽出する投影画像７０）をユーザにより選択可能にした場合について説明する。
【００８３】
放射線画像撮影システム１０、放射線画像撮影装置１２、コンソール１６、及び放射線画像読影装置２０の構成は第１の実施の形態と同様である。第１の実施の形態と同一の構成及び動作については、同一の符号を付し、詳細な説明を省略する。
【００８４】
本実施の形態の放射線画像撮影システム１０では、生検におけるコンソール１６の制御部３０で実行される位置確認処理が第１の実施の形態（図４参照）と異なるため、本実施の形態の位置確認処理について詳細に説明する。
【００８５】
図９には、第２の本実施の形態のコンソールの制御部で実行される位置確認処理の一例のフローチャートを示す。図９に示すように、本実施の形態の位置確認処理は、第１の実施の形態の位置確認処理のステップＳ２０６とステップＳ２０８の間に、ステップＳ２０７Ａ及びＳ２０７Ｂが設けられている。
【００８６】
ステップＳ２００〜Ｓ２０６では、第１の実施の形態と同様に、コンソール１６の制御部３０がＮ枚の投影画像７０を取得すると、取得した複数の投影画像７０に基づいて断層画像７２を再構成して、所定のスライス厚で、撮影面２７に平行な断層画像７２を生成して表示部３６に表示する。さらに、コンソール１６の制御部３０が、断層画像７２または投影画像７０から関心物の画像８２Ａを特定し、関心物の画像８２Ｂ及びニードルの画像８４Ｂを含む断面画像７４を生成する。
【００８７】
本実施の形態の位置確認処理では、ステップＳ２０６の後、ステップＳ２０７Ａへ進む。ステップＳ２０７Ａでは、コンソール１６の制御部３０が、投影画像７０を表示部３６に表示する。表示の仕方は、特に限定されず、例えば、取得した複数の投影画像７０を並べて全部（もしくは一部）を表示部３６に表示するようにしてもよいし、表示部３６に一つの投影画像７０を表示し、ユーザの指示により、投影角度の異なる投影角度７０に表示を順次切り替えるようにしてもよい。
【００８８】
ユーザは、表示部３６に表示された投影画像７０を確認し、ニードルの画像が視認しやすい少なくとも１つの投影画像７０を操作部４０により選択する。もしくは、ニードルの画像と関心物の画像との位置関係が把握しやすい投影画像７０等を操作部４０により選択する。なお、選択する投影画像７０は、１つでもよいし、２つ以上であってもよい。
【００８９】
次のステップＳ２０７Ｂでは、ユーザにより、投影画像７０が選択されたか否かを判断し、選択された場合は、ステップＳ２０８へ進む。
【００９０】
ステップＳ２０８〜Ｓ２１２では、第１の実施の形態と同様に、コンソール１６の制御部３０が投影画像７０を再投影してニードルの画像８４Ｃを生成し、生成したニードルの画像８４Ｃを、ステップＳ２０６で生成した断面画像７４に合成し、ニードルの画像８４Ｃを合成した断面画像７４を、表示部３６に表示した後、本実施の形態の位置確認処理を終了する。
【００９１】
このように、本実施の形態の放射線画像撮影システム１０では、複数の投影画像７０から、投影画像７０を選択することにより、関心物とニードルとの位置関係の確認に用いる、ニードルの画像８４を選択することができるため、より、ユーザの所望に応じた関心物とニードルとの位置関係の確認が行いやすくなる。また、本実施の形態の放射線画像撮影システム１０においては、ユーザは、表示部３６に表示された関心物の視認性が高い断層画像７２を確認しながら、投影画像７０（ニードルの画像）を選択することができるため、投影画像７０（ニードルの画像）の選択が行いやすくなる。
【００９２】
以上、説明したように上記各実施の形態では、マンモグラフィ装置である放射線画像撮影装置１２を用いた放射線画像撮影システム１０において、被検体の乳房の生検を行う場合に、トモシンセシス撮影により得られた放射線画像を用いて関心物とニードルとの位置関係の確認を行う。コンソール１６の制御部３０は、乳房にニードルが挿入された状態でトモシンセシス撮影により得られた投影画像７０を再構成して撮影面２７に平行（ｘ−ｙ軸方向）な断層画像７２を生成し、断層画像７２から関心物の画像８２Ａを特定する。コンソール１６の制御部３０は、特定した関心物の画像８２Ｂ、ニードルの画像８４Ｂを含む、撮影面２７と交差する断面画像７４、上記各実施の形態では具体例としてｙ−ｘ軸方向の断面画像７４を生成する。さらに、コンソール１６の制御部３０は、投影画像７０からニードルの画像８４Ｃを生成し、生成したニードルの画像８４Ｃを位置を合わせて断面画像７４に合成して表示部３６に表示する。
【００９３】
断層画像や断面画像では、情報量が多いため、関心物の画像は、視認性が高い画像である。一方、トモシンセシス撮影を行う場合、特にＣＴと異なり放射線画像撮影装置がマンモグラフィ装置では、撮影角度範囲が狭いため、ニードルが断層画像に対して交差する方向に挿入されていること等に起因し、断層画像や断面画像では、ニードルの画像の視認性が低下する場合がある。特に、ニードルの先端（関心物を採取する開口部）付近の視認性が低下する懸念がある。
【００９４】
ステレオ画像では、断層画像や断面画像に比べてニードルの画像は視認性が高くなるが、情報量が少なくなるため、関心物の画像は視認性が低下する場合がある。
【００９５】
関心物の画像の視認性が高い断層画像や断面画像を得るための投影画像の撮影と、ニードルの画像の視認性が高いステレオ画像の撮影と、２回の撮影を行う場合、被検者の負担が大きくなる。
【００９６】
これに対して上記各実施の形態の放射線画像撮影システム１０では、１回のトモシンセシス撮影により、関心物の画像の視認性が高い断面画像と、ニードルの画像の視認性が高いステレオ画像に相当する投影画像から生成したニードルの画像とを合成する。これにより、本実施の形態の放射線画像撮影システム１０では、関心物の画像及びニードル（特に開口部）の画像の両方の視認性が高い断面画像を得ることができるため、関心物とニードルとの位置関係が確認しやすくなる。
【００９７】
また、１回のトモシンセシス撮影により、関心物の画像及びニードル（特に開口部）の画像の両方の視認性が高い断面画像を得ることができるため、被検者の負担を抑制することができる。
【００９８】
なお、上記各実施の形態では、投影画像７０から生成したニードルの画像８４Ｃを、断面画像７４の上に合成していたが、合成方法は上記のように特に限定されるものではない。例えば、断面画像７４中のニードルの画像Ｂを削除等して、投影画像７０から生成したニードルの画像８４Ｃを差し替えることで合成してもよい。
【００９９】
また、上記各実施の形態では、投影画像７０から生成したニードルの画像８４Ｃを断面画像７４に合成していたが、例えば、コンソール１６の制御部３０が作成したニードルの画像（イラスト）や予めコンソール１６内部に記憶しておいたニードルの画像（写真による画像）を合成するようにしてもよい。このように合成を行う場合、制御部３０が、撮影メニューや、バイオプシユニット（図示省略）等により、ニードルの状態（位置及び角度等）を認識できる場合は、ニードルの状態に合わせた画像を用いることが好ましい。
【０１００】
また、上記各実施の形態では、コンソール１６の制御部３０が、投影画像７０から断層画像７２を生成する断層画像生成部としての機能、断層画像７２から関心物の画像８２Ａを特定する特定部としての機能、断面画像７４を生成する断面画像生成部としての機能、及び投影画像７０からニードルの画像８４Ｃを生成して断面画像７４に合成する合成部としての機能を有する場合について説明したがこれに限らない。例えば、放射線画像読影装置２０の制御部５０がこれら各機能部を有していてもよい。また、一部の機能部をコンソール１６の制御部３０が有し、他の機能部を放射線画像読影装置２０の制御部５０が有するようにしてもよい。
【０１０１】
また、上記各実施の形態の放射線画像撮影システム１０では、放射線画像撮影装置１２をマンモグラフィ装置とした場合について説明したが、他の放射線画像撮影装置であってもよい。また、被写体も被検体の乳房に限らず、その他のものであってもよく、特に限定されない。
【０１０２】
また、放射線画像の撮影に用いられる放射線は、特に限定されるものではなく、Ｘ線やγ線等を適用することができる。
【０１０３】
その他、上記各実施の形態で説明した放射線画像撮影システム１０、放射線画像撮影装置１２、コンソール１６、及び放射線画像読影装置２０の構成及び動作は一例であり、本発明の主旨を逸脱しない範囲内において状況に応じて変更可能であることは言うまでもない。また、上記各実施の形態で説明した生検の流れや位置確認処理の流れも一例であり、本発明の主旨を逸脱しない範囲内において状況に応じて変更可能であることは言うまでもない。
【０１０４】
以上の上記各実施形態に関し、更に以下の付記を開示する。
【０１０５】
（付記１）
放射線を検出する放射線検出器及び前記放射線検出器を含む撮影台を備え、前記撮影台の撮影面上に配置されかつ生検針が挿入された状態の乳房に対して異なる投影角度毎に前記放射線を照射して前記放射線検出器により複数の投影画像を撮影する放射線画像撮影装置から前記複数の投影画像を取得して、
断層画像生成部により、前記撮影した複数の投影画像に基づいて複数の断層画像を生成し、
特定部により、前記撮影面に対して法線方向から撮影された前記投影画像、前記断層画像生成部が生成した前記断層画像、及び前記断層画像に基づいて再構成された擬似的な二次元画像のいずれかから前記関心物の画像を特定し、
断面画像生成部により、前記撮影面と交差する断面であり、前記特定部が特定した前記関心物に応じた画像を含む断面の断面画像を生成し、
合成部により、前記生検針の画像を生成し、生成した前記生検針の画像を、前記断面画像生成部が生成した前記断面画像上に合成する、
画像処理方法。
【符号の説明】
【０１０６】
１０  放射線画像撮影システム
１２  放射線画像撮影装置
１６  コンソール
２２  放射線検出器
２４  放射線源
３０  制御部
３６  表示部
２０  放射線画像読影装置  
【図１】
2016067414.tif 000003
【図２】
2016067414.tif 000004
【図３】
2016067414.tif 000005
【図４】
2016067414.tif 000006
【図５】
2016067414.tif 000007
【図６】
2016067414.tif 000008
【図７】
2016067414.tif 000009
【図８】
2016067414.tif 000010
【図９】
2016067414.tif 000011